(57)【要約】【課題】本発明は、光源の点灯、消灯によって、文字や図形等の絵柄が切り替わり、その絵柄の有彩色を美しく表示できる情報表示切替パネルを提供することを課題とする。【解決手段】半透過性基材と、前記半透過性基材の一方の面上に形成された第１の絵柄層と、前記半透過性基材の他方の面上に形成された第２の絵柄層と、を有し、前記第１の絵柄層と前記第２の絵柄層の対応する部分の明度Ｌ＊の差が５０以上であることを特徴とする情報表示切替パネル。【選択図】図１
2010117713.tif 000002
【特許請求の範囲】
【請求項１】
半透過性基材と、
前記半透過性基材の一方の面上に形成された第１の絵柄層と、
前記半透過性基材の他方の面上に形成された第２の絵柄層と、を有し、
前記第１の絵柄層と前記第２の絵柄層の対応する部分の明度Ｌ＊の差が５０以上であることを特徴とする情報表示切替パネル。
【請求項２】
半透過性基材と、
前記半透過性基材の一方の面上に形成された第２の絵柄層と、
前記第２の絵柄層の上に形成された隠蔽層と、
前記隠蔽層上に形成された第１の絵柄層と、を有し、
前記第１の絵柄層と前記第２の絵柄層の対応する部分の明度Ｌ＊の差が５０以上であることを特徴とする情報表示切替パネル。
【請求項３】
前記半透過性基材が発泡ポリプロピレンであることを特徴とする請求項１〜２のいずれかに記載の情報表示切替パネル。
【発明の詳細な説明】
【技術分野】
【０００１】
本発明は、バックライト等の光源の点灯、消灯により絵柄が切り替わる情報表示切替パネルに関し、自動車の計器盤等、インストルメントパネルに好適に用いられる情報表示切替パネルに関する。
【背景技術】
【０００２】
従来の絵柄を切り替える情報表示パネルとして、半透過性の基材の一方の表面の絵柄部分に対応する位置には、白色半透明インキが塗布されると共に、この白色半透明インキの周囲に、黒色不透明インキが塗布されている。また、基材の他方の面の絵柄に対応する位置に、有彩色の半透明インキが塗布されている。また、有彩色の半透明インキ部分以外に印刷で格子模様が印刷されている。
【０００３】
上記の情報表示パネルの構成を用いることで、ランプ消灯時は、外光により、絵柄部分が白色半透明インキにより白色で視認され、絵柄部分以外の地色部分が黒色で視認される。また、ランプ点灯時は、裏面側から光を照射することにより、絵柄部分が有彩色半透明インキを透過する光により有彩色で視認され、有彩色の格子模様があらわれる。（特許文献１参照）
【０００４】
しかしながら、従来の技術では背部のランプが点灯していないときには無地のままであり、有彩色の絵柄を美しく表示することができなかった。
【先行技術文献】
【特許文献】
【０００５】
【特許文献１】実開平５−６４７２７号公報
【発明の概要】
【発明が解決しようとする課題】
【０００６】
本発明は、光源の点灯、消灯によって、文字や図形等の絵柄が切り替わり、その絵柄の有彩色を美しく表示できる情報表示切替パネルを提供することを課題とする。
【課題を解決するための手段】
【０００７】
この発明は、上記課題を解決するために次のような構成を備えている。
請求項１に記載の発明は、半透過性基材と、
前記半透過性基材の一方の面上に形成された第１の絵柄層と、
前記半透過性基材の他方の面上に形成された第２の絵柄層と、を有し、
前記第１の絵柄層と前記第２の絵柄層の対応する部分の明度Ｌ＊の差が５０以上であることを特徴とする情報表示切替パネルである。
【０００８】
請求項２に記載の発明は、半透過性基材と、
前記半透過性基材の一方の面上に形成された第２の絵柄層と、
前記第２の絵柄層の上に形成された隠蔽層と、
前記隠蔽層上に形成された第１の絵柄層と、を有し、
前記第１の絵柄層と前記第２の絵柄層の対応する部分の明度Ｌ＊の差が５０以上であることを特徴とする情報表示切替パネルである。
【０００９】
請求項３に記載の発明は、前記半透過性基材が発泡ポリプロピレンであることを特徴とする請求項１〜２のいずれかに記載の情報表示切替パネルである。
【発明の効果】
【００１０】
前記請求項１〜２に記載された発明によれば、光源の点灯、消灯により絵柄が切り替わる際に、その絵柄の有彩色を美しく表示できる効果が生じる。
【００１１】
前記請求項３に記載された発明によれば、半透過性基材に発泡ポリプロピレンを用いることで、印刷適正を向上することができるので、文字や図形等を美しく印刷することができ、破棄燃焼時の環境負荷が小さい効果が生じる。
【図面の簡単な説明】
【００１２】
【図１】本発明の情報表示切替パネルの、一実施形態の層構成を示す断面図である。
【図２】本発明の情報表示切替パネルの、別の一実施形態の層構成を示す断面図である。
【発明を実施するための形態】
【００１３】
以下に図面を参照して、本発明に係る情報表示切替パネルの好適な実施の形態について詳細に説明する。
図１は、半透過性基材１の一方の面上に第１の絵柄層２を形成し、半透過性基材１の他方の面上に第２の絵柄層３が形成されている。
【００１４】
半透過性基材１については特に限定することはなく、一般的な半透過性基材１を使用することができる。
本発明においては、半透過性基材１は板厚４００μｍの発泡ポリプロピレン（商品名  ＲＭＭ４００；株式会社ユポ・コーポレーション）を用いた。
【００１５】
ここで、半透過性基材１の板厚を４００μｍに採用したのは、表１に示した絵柄の透過程度と絵柄のボケ程度を考慮したためである。
【表１】
2010117713.tif 000003
【００１６】
表１は、１，０００ｃｄ/ｍ２のＬＥＤ光源４から３ｃｍの距離に置いた拡散板の上に、半透過性基材１の厚さのみを変えて（他は同じ条件で）作製した本発明の情報表示切替パネルを置きＬＥＤ光源４を点灯させ、見栄えを確認したものである。
【００１７】
ここで、絵柄の透過程度について説明する。
光源４が点灯時に、半透過性基材１を観察者５側から観察した場合に、光源４側の第２の絵柄層３の、絵柄の透過程度を表したものである。第２の絵柄層３の絵柄が、より明るく見える（すなわち透過光量が多い）ほうがよい。
【００１８】
ボケ程度について説明する。
光源が点灯時に、半透過性基材１を観察者５側から観察した場合に、第２の絵柄層３の絵柄がぼける程度を表したものである。第２の絵柄層３の絵柄がくっきりしたほうがよい。
【００１９】
第１の絵柄層２について説明する。
絵柄層とは、図形や文字等がインキで描かれている層のことである。
【００２０】
第１の絵柄層２で使用されるインキとしては、印刷に用いられる一般的にインキを使用することができる。
第１の絵柄層２を形成する方法としては、凸版印刷、フレキソ印刷、オフセット印刷、シルク印刷、グラビア印刷、インクジェット印刷等が利用できるが、絵柄層２の層厚を薄くするためにスクリーン印刷以外の方法で形成するのがより好ましい。層厚を薄くすることで、裏面側からの光の透過を妨げにくくすることができる。また、単色印刷のみでなく、複数色のインキを使用した多色印刷を行うことも可能である。
【００２１】
本発明の情報表示切替パネルでは、第１の絵柄層２は、半透過性基材１である発泡ポリプロピレンの一方の面上に、オフセット印刷用インキ（ＴＫハイユニティネオ；東洋インキ製）を用いてオフセット印刷で形成した。
【００２２】
第２の絵柄層３は、上述の第１の絵柄層２と同様のインキ、形成方法を用いることができる。第１の絵柄層２に描かれている図形や文字等と、第２の絵柄層３に描かれている図形や文字等とが同位置にあれば、両絵柄層に描いてある図形や文字等は、後述する切り替わりに関係なく、常に同じものを観察することができる。
【００２３】
また、第１の絵柄層２と第２の絵柄層３とで、異なる位置に異なる図形や文字等を描くことで、後述する切り替わりの際に、観察される絵柄が変化することになる。
本発明では、第２の絵柄層２は、半透過性基材１である発泡ポリプロピレンの他方の面上に、オフセット印刷用インキ（ＴＫハイユニティネオ；東洋インキ製）を用いてオフセット印刷で形成した。
【００２４】
半透過性基材１の他方側にあるＬＥＤ光源４の点灯と消灯により、第１の絵柄層２と第２の絵柄層３が切り替わることについて説明する。
ＬＥＤ光源４が消灯の場合、観察者５側からは、第１の絵柄層２が見えることになる。このとき、第２の絵柄層３は半透過性基材１によって見えない。
【００２５】
ＬＥＤ光源４が点灯の場合、観察者５側からは、第２の絵柄層３が見えることになる。その際、ＬＥＤ光源４の光によって、第２の絵柄層３の絵柄が半透過性基材１を透過し、かつ、第１の絵柄層２を通して第２の絵柄層３を観察することになる。ここで、第１の絵柄層２と第２の絵柄層３が混色した状態の像を、観察者は観察することになるので、その状態でも綺麗に見せるためには、第１の絵柄層２の明度は第２の絵柄層３の明度よりも高く、絵柄層の明度Ｌ＊の差が５０以上であることが好ましい。
【００２６】
明度Ｌ＊の差は、第１の絵柄層２と第２の絵柄層３の対応する部分のL＊ａ＊ｂ＊表色系における明度の差である。すなわち、情報表示切替パネルを観察した場合に、第１の絵柄層２と第２の絵柄層３が重なって、ＬＥＤ光源４の点灯、消灯によって、そのいずれかが観察されることになるが、その重なった部分の明度の差である。
【００２７】
第１の絵柄層２および第２の絵柄層３の明度Ｌ＊は、次のような手順で測定する。半透過性基材１の片面に第１の絵柄層２のみを印刷条件を少しずつ変えて形成した複数の試料、半透過性基材１の片面に第２の絵柄層３のみを印刷条件を少しずつ変えて形成した複数の試料を、それぞれ準備する。これらの試料の各絵柄層が形成されている側の面を、分光測色計（例えば型式  ＨＳＣ−１；スガ試験機製）の光源を使って反射方式で測定して、各試料ごとに明度Ｌ＊を求める。このようにして求めた第１の絵柄層２と第２の絵柄層３の明度Ｌ＊から、明度差を求める。
【００２８】
上述したように、第２の絵柄層３の透過程度は、半透過性基材１の厚さによる影響がある。
表２に示した結果を考慮すると、絵柄層の明度Ｌ＊の差が５０以上であれば、混色した後にも綺麗に見せることができる。
【表２】
2010117713.tif 000004
【００２９】
表２は、１，０００ｃｄ/ｍ２のＬＥＤ光源４から３ｃｍの距離に置いた拡散板の上に、第１の絵柄層２と第２の絵柄層３の明度Ｌ＊の差のみを変えて（他は同じ条件で）作製した本発明の情報表示切替パネルを置きＬＥＤ光源４を点灯させ、見栄えを評価したものである。なお、表２で見栄えを評価した情報表示切替パネルは、前述した各絵柄層の明度Ｌ＊の測定方法により第１の絵柄層２と第２の絵柄層３の明度差がそれぞれ２５、５０、７５、１００となるような各絵柄層の印刷条件の組み合わせを求めておき、半透過性基板１の一方の面に第１の絵柄層２を、もう一方の面に第２の絵柄層３をその印刷条件の組み合わせで形成したものである。
第２の絵柄層３の表現能力とは、第２の絵柄層３がはっきりと表示される程度を１〜５の５段階で評価を行ったものである。
【００３０】
よって、本発明の情報表示切替パネルが作成された。本発明の情報表示切替パネルにより、光源の点灯、消灯によって、文字や図形等の絵柄が切り替わり、その絵柄の有彩色を美しく表示できる。
なお、明度差は、第１の絵柄層２と第２の絵柄層３が重なる部分について述べている。実際には、様々な絵柄が想定できるが、その全ての部分について、上述する明度差を有することが望ましいが、全面積の７０％以上において、好ましくは９０％以上において、明度差が５０以上であることが好ましい。
【００３１】
また、他の実施形態として、図２を参照して以下に説明する。
半透過性基材１である板厚４００μｍの発泡ポリプロピレン（商品名  ＲＭＭ４００；株式会社ユポ・コーポレーション）の一方の面上に、ＵＶ硬化型インクジェットプリンタ（ＪＦ−１６１０；ミマキエンジニアリング）を用いて、光源点灯時に表示される絵柄の第２の絵柄層３を形成した。
【００３２】
上記第２の絵柄層３上にＵＶ硬化型インクジェットプリンタを用いて白インク（ＪＦ−１６１０専用UV硬化インク）で全面に印刷して、隠蔽層７を形成した。この隠蔽層７は、光源４の点灯時には第２の絵柄層３を表示させ、光源４の消灯時に、後述する第１の絵柄層２を表示させる役割を果たす層になっている。
【００３３】
上記隠蔽層７上に、ＵＶ硬化型インクジェットプリンタを用いて、光源４の消灯時に表示される絵柄の第１の絵柄層２を形成した。
【００３４】
このような構成にすることで、半透過性基材１の片面に隠蔽層７を挟んで２つの絵柄層があるため、背面からの光源４からの光の透過時に絵柄がボヤけることがない。また、片面に全ての加工を行うため、各工程での交差が少ない効果ある。
【００３５】
さらに、第１の絵柄層２と第２の絵柄層３の間に隠蔽層７があれば、半透過性基材１の位置は特に関係することはない。
【符号の説明】
【００３６】
１  半透過性基材
２  第１の絵柄層
３  第２の絵柄層
４  ＬＥＤ光源
５  観察者（の目）
６  情報表示切替パネル
７  隠蔽層
【図１】
2010117713.tif 000005
【図２】
2010117713.tif 000006